(57)【要約】【課題】  各看護師の業務量がほぼ均等になるように看護師を割り振ることのできる看護師割振り装置およびプログラムを提供することを目的とする。【解決手段】  看護師名および当日の看護業務量が記録される看護師リスト２０と、患者名、看護度、救護区分、イベント、および当該患者の必要業務量が記録される患者マスタ３０と、患者マスタ３０に基づき上記必要業務量を算出して該患者マスタ３０を更新する必要業務量更新手段１１と、看護師リスト２０に記録されている看護師の中から業務量の最も少ない看護師を選び出して当該患者の受持ち看護師として割り振る看護師割振り手段１２と、上記受持ち看護師として割り振られた看護師の看護業務量に該患者の必要業務量を加算して上記看護業務量を更新する看護業務量更新手段１３と、割振り結果に基づき受持ち看護師と患者とを対応付けて記録する割振記録ファイル６０とを備えた。【選択図】        図３
2008225665.tif 000002
【特許請求の範囲】
【請求項１】
入院患者の当日の看護を受け持つ看護師を複数の看護師の中から選び出して当該患者の受持ち看護師として割り振る看護師割振り装置であって、
当日の受持ち看護師として選ばれた看護師名および当日の看護業務量が記録される看護師リストと、
患者名、看護の程度を表す看護度、救護の区分を表す救護区分、当日の処置の内容を表すイベント、および当該患者の当日の看護に必要な必要業務量が記録される患者マスタと、
前記患者マスタに記録されている看護度、救護区分、およびイベントに基づき患者の看護に必要な必要業務量を算出して該患者マスタの必要業務量を更新する必要業務量更新手段と、
各患者について、前記看護師リストに記録されている看護師の中から業務量の最も少ない看護師を選び出して当該患者の受持ち看護師として割り振る看護師割振り手段と、
前記看護師割振り手段により前記患者の受持ち看護師として割り振られた看護師の看護業務量に該患者の必要業務量を加算した値で前記看護師リストの看護業務量を更新する看護業務量更新手段と、
前記看護師割振り手段によって得られた割振り結果に基づき受持ち看護師と患者とを対応付けて記録する割振記録ファイルとを備えたことを特徴とする看護師割振り装置。
【請求項２】
前記看護師割振り手段によって得られた割振り結果を画面上に表示する割振り結果表示手段を備えたことを特徴とする請求項１記載の看護師割振り装置。
【請求項３】
前記患者マスタが、患者の看護を主として担当する主担当看護師名をも記録するものであり、
前記看護師割振り手段は、当該患者の主担当看護師が前記看護師リストの中に含まれているか否かを検索し、該検索の結果、当該患者の主担当看護師が該看護師リストの中に含まれているときには該主担当看護師を当該患者の受持ち看護師として割り振るものであり、該検索の結果、当該患者の主担当看護師が該看護師リストの中に含まれていないときには該看護師リストの中から業務量の最も少ない看護師を選び出して当該患者の受持ち看護師として割り振るものであることを特徴とする請求項１記載の看護師割振り装置。
【請求項４】
前記看護師割振り手段は、前記割振記録ファイルの中から過去の所定期間以内に当該患者の受持ち看護師であったことのある看護師を抽出し抽出された看護師が前記看護師リストの中に含まれているか否かを検索し、該検索の結果、当該患者の受持ち看護師が含まれているときには該受持ち看護師の中から業務量の最も少ない看護師を選び出して当該患者の受持ち看護師として割り振るものであり、該検索の結果、当該患者の受持ち看護師が含まれていないときには前記看護師リストの中から業務量の最も少ない看護師を選び出して当該患者の受持ち看護師として割り振るものであることを特徴とする請求項１記載の看護師割振り装置。
【請求項５】
前記患者マスタが、患者の所属するチームをも記録するものであるとともに、前記看護師リストが、看護師の所属するチームをも記録するものであり、
前記看護師割振り手段は、当該患者の所属するチームと同じチームに所属する看護師が前記看護師リストの中に含まれているか否かを検索し、該検索の結果、同じチームに所属する看護師が含まれているときには該看護師の中から業務量の最も少ない看護師を選び出して当該患者の受持ち看護師として割り振るものであり、該検索の結果、同じチームに所属する看護師が含まれていないときには前記看護師リストの中から業務量の最も少ない看護師を選び出して当該患者の受持ち看護師として割り振るものであることを特徴とする請求項１記載の看護師割振り装置。
【請求項６】
コンピュータを、入院患者の当日の看護を受け持つ看護師を複数の看護師の中から選び出して当該患者の受持ち看護師として割り振る看護師割振り装置として機能させるプログラムであって、
当日の受持ち看護師として選ばれた看護師名および当日の看護業務量が記録される看護師リストと、
患者名、看護の程度を表す看護度、救護の区分を表す救護区分、当日の処置の内容を表すイベント、および当該患者の当日の看護に必要な必要業務量が記録される患者マスタと、
前記患者マスタに記録されている看護度、救護区分、およびイベントに基づき患者の看護に必要な必要業務量を算出して該患者マスタの必要業務量を更新する必要業務量更新手段と、
各患者について、前記看護師リストに記録されている看護師の中から業務量の最も少ない看護師を選び出して当該患者の受持ち看護師として割り振る看護師割振り手段と、
前記看護師割振り手段により前記患者の受持ち看護師として割り振られた看護師の看護業務量に該患者の必要業務量を加算した値で前記看護師リストの看護業務量を更新する看護業務量更新手段と、
前記看護師割振り手段によって得られた割振り結果に基づき受持ち看護師と患者とを対応付けて記録する割振記録ファイルとを備えた看護師割振り装置として機能させることを特徴とする看護師割振りプログラム。
【発明の詳細な説明】
【技術分野】
【０００１】
本発明は、入院患者の当日の看護を受け持つ看護師を複数の看護師の中から選び出して当該患者の受持ち看護師として割り振る看護師割振り装置および看護師割振りプログラムに関する。
【背景技術】
【０００２】
通常、病院等における看護師は複数の入院患者の看護を受け持つことが多いが、各看護師の業務量は、どのような患者を何人受け持つかによって大きく変わってくる。従来、病院等の現場責任者が、各看護師を特定の患者の受持ち看護師として割り振るにあたっては、各患者の病状、診療科の特性、ベッド数などを考慮して各看護師の業務負荷が均等になるように割振りを決定している。
【０００３】
しかし、患者の入院、検査、処置などの有無により当日の各患者の看護に必要な業務量は大きく変動する上、看護師ごとのスキルレベルにより業務負荷が影響を受けるので、各看護師の業務負荷が均等になるように受持ち看護師を割り振ることは困難な作業である。その結果、看護師の業務負荷が過大になったりあるいは過小になったりするため、看護師にとっても、患者にとっても好ましくない状態がしばしば発生する。
【０００４】
そこで、看護師の割振り方法の一つとして、複数の看護師の勤務工程を２週間以上の長期間に渡って備えた勤務表を作成するために、各看護師のスキルレベル、勤務系列、各曜日の割振り、必要人数などの評価規則の入力画面を表示するステップ、前記評価規則をできるだけ満足するようにコンピュータによって自動計算するステップを含む看護師勤務表作成支援ソフトウエアが開示されている（例えば、特許文献１参照。）。
【０００５】
また、患者入院データと所定の看護度マスタデータとを用いて患者看護度値リストを作成する一方、看護師の勤務データと所定の看護師技能マスタデータとを用いて看護師技能定量値および相対技能値リストを作成し、これらのリストから看護師ごとの看護度値リストを作成して画面表示または印刷することにより、看護師配置のための情報を提供できるようにした看護師の適正配置方法が開示されている（例えば、特許文献２参照。）。
【特許文献１】特開２００４−１５１７９０号公報
【特許文献２】特開２００５−２６７５２１号公報
【発明の開示】
【発明が解決しようとする課題】
【０００６】
しかし、上記特許文献１および特許文献２の方法では、患者に関する情報に対する考慮が十分ではないために、各看護師の業務量がほぼ均等になるように看護師を割り振ることは極めて難しい。
【０００７】
本発明は上記事情に鑑み、各看護師の業務量がほぼ均等になるように看護師を割り振ることのできる看護師割振り装置および看護師割振りプログラムを提供することを目的とする。
【課題を解決するための手段】
【０００８】
上記目的を達成する本発明の看護師割振り装置は、
入院患者の当日の看護を受け持つ看護師を複数の看護師の中から選び出して当該患者の受持ち看護師として割り振る看護師割振り装置であって、
当日の受持ち看護師として選ばれた看護師名および当日の看護業務量が記録される看護
師リストと、
患者名、看護の程度を表す看護度、救護の区分を表す救護区分、当日の処置の内容を表すイベント、および当該患者の当日の看護に必要な必要業務量が記録される患者マスタと、
上記患者マスタに記録されている看護度、救護区分、およびイベントに基づき患者の看護に必要な必要業務量を算出して該患者マスタの必要業務量を更新する必要業務量更新手段と、
各患者について、上記看護師リストに記録されている看護師の中から業務量の最も少ない看護師を選び出して当該患者の受持ち看護師として割り振る看護師割振り手段と、
上記看護師割振り手段により上記患者の受持ち看護師として割り振られた看護師の看護業務量に該患者の必要業務量を加算した値で上記看護師リストの看護業務量を更新する看護業務量更新手段と、
上記看護師割振り手段によって得られた割振り結果に基づき受持ち看護師と患者とを対応付けて記録する割振記録ファイルとを備えたことを特徴とする。
【０００９】
本発明の看護師割振り装置によれば、患者の看護度、救護区分、およびイベントに基づき算出された業務量が看護師ごとに合計されて必要業務量が求められるので、量が均等となるように割振りが行われるので各看護師の業務量をほぼ均等にすることができる。
【００１０】
ここで、上記看護師割振り装置が、上記看護師割振り手段によって得られた割振り結果を画面上に表示する割振り結果表示手段を備えたものであることが好ましい。
【００１１】
本発明の看護師割振り装置を上記のように構成した場合は、この画面に表示された割振り結果を閲覧することにより各看護師は自分の受持ち患者についての情報を容易に得ることができるとともに、現場監督者は、画面上に表示された割振り結果に不都合があるか否かを迅速に把握することができる。
【００１２】
また、上記患者マスタが、患者の看護を主として担当する主担当看護師をも記録するものであり、
上記看護師割振り手段は、当該患者の主担当看護師が上記看護師リストの中に含まれているか否かを検索し、該検索の結果、当該患者の主担当看護師が該看護師リストの中に含まれているときには該主担当看護師を当該患者の受持ち看護師として割り振るものであり、該検索の結果、当該患者の主担当看護師が該看護師リストの中に含まれていないときには該看護師リストの中から業務量の最も少ない看護師を選び出して当該患者の受持ち看護師として割り振るものであってもよい。
【００１３】
本発明の看護師割振り装置を上記のように構成した場合は、当該患者の主担当看護師が優先して受持ち看護師として割り振られるので、患者および看護師の双方にとって合理的な割振り結果を得ることができる。
【００１４】
また、上記看護師割振り手段は、上記割振記録ファイルの中から過去の所定期間以内に当該患者の受持ち看護師であったことのある看護師を抽出し抽出された看護師が上記看護師リストの中に含まれているか否かを検索し、該検索の結果、当該患者の受持ち看護師が含まれているときには該受持ち看護師の中から業務量の最も少ない看護師を選び出して当該患者の受持ち看護師として割り振るものであり、該検索の結果、当該患者の受持ち看護師が含まれていないときには上記看護師リストの中から業務量の最も少ない看護師を選び出して当該患者の受持ち看護師として割り振るものであってもよい。
【００１５】
本発明の看護師割振り装置を上記のように構成した場合は、当該患者の過去の所定期間以内の受持ち看護師が優先して受持ち看護師として割り振られるので、患者および看護師
の双方にとっても合理的な割振り結果を得ることができる。
【００１６】
また、上記患者マスタが、患者の所属するチームをも記録するものであるとともに、上記看護師リストが、看護師の所属するチームをも記録するものであり、
上記看護師割振り手段は、当該患者の所属するチームと同じチームに所属する看護師が上記看護師リストの中に含まれているか否かを検索し、該検索の結果、同じチームに所属する看護師が含まれているときには該看護師の中から業務量の最も少ない看護師を選び出して当該患者の受持ち看護師として割り振るものであり、該検索の結果、同じチームに所属する看護師が含まれていないときには上記看護師リストの中から業務量の最も少ない看護師を選び出して当該患者の受持ち看護師として割り振るものであってもよい。
【００１７】
本発明の看護師割振り装置を上記のように構成した場合は、当該患者の所属するチームと同じチームに所属する看護師が優先して受持ち看護師として割り振られるので、患者および看護師の双方にとって合理的な割振り結果を得ることができる。
【００１８】
また、上記看護師リストは、看護師のスキルの程度を表すスキルランクをも記録するものであり、
上記看護師割振り手段は、業務量の最も少ない看護師が複数選び出されたときには選び出された複数の看護師のうちでスキルランクの最も高い看護師を当該患者の受持ち看護師として割り振るものであってもよい。
【００１９】
本発明の看護師割振り装置を上記のように構成した場合は、スキルランクの高い看護師が優先して受持ち看護師として割り振られるので、患者および看護師の双方にとって合理的な割振り結果を得ることができる。
【００２０】
また、上記目的を達成する本発明の看護師割振りプログラムは、
コンピュータを、
入院患者の当日の看護を受け持つ看護師を複数の看護師の中から選び出して当該患者の受持ち看護師として割り振る看護師割振り装置として機能させるプログラムであって、
当日の受持ち看護師として選ばれた看護師名および当日の看護業務量が記録される看護師リストと、
患者名、看護の程度を表す看護度、救護の区分を表す救護区分、当日の処置の内容を表すイベント、および当該患者の当日の看護に必要な必要業務量が記録される患者マスタと、
上記患者マスタに記録されている看護度、救護区分、およびイベントに基づき患者の看護に必要な必要業務量を算出して該患者マスタの必要業務量を更新する必要業務量更新手段と、
各患者について、上記看護師リストに記録されている看護師の中から業務量の最も少ない看護師を選び出して当該患者の受持ち看護師として割り振る看護師割振り手段と、
上記看護師割振り手段により上記患者の受持ち看護師として割り振られた看護師の看護業務量に該患者の必要業務量を加算した値で上記看護師リストの看護業務量を更新する看護業務量更新手段と、
上記看護師割振り手段によって得られた割振り結果に基づき受持ち看護師と患者とを対応付けて記録する割振記録ファイルとを備えた看護師割振り装置として機能させることを特徴とする。
【００２１】
本発明の看護師割振りプログラムによれば、患者の看護度、救護区分、およびイベントに基づき算出された業務量が看護師ごとに合計されて必要業務量が求められるので、量が均等となるように割振りが行われるので各看護師の業務量をほぼ均等にすることができる。
【００２２】
ここで、本発明の看護師割振りプログラムが、上記看護師割振り手段によって得られた割振り結果を画面上に表示する割振り結果表示手段を備えたものであることが好ましい。
【００２３】
本発明の看護師割振りプログラムを上記のように構成した場合は、画面上に表示された割振り結果を検討することにより割振り結果を容易に修正することができる。
【００２４】
また、上記患者マスタが、患者の看護を主として担当する主担当看護師をも記録するものであり、
上記看護師割振り手段は、当該患者の主担当看護師が上記看護師リストの中に含まれているか否かを検索し、該検索の結果、当該患者の主担当看護師が該看護師リストの中に含まれているときには該主担当看護師を当該患者の受持ち看護師として割り振るものであり、該検索の結果、当該患者の主担当看護師が該看護師リストの中に含まれていないときには該看護師リストの中から業務量の最も少ない看護師を選び出して当該患者の受持ち看護師として割り振るものであってもよい。
【００２５】
本発明の看護師割振りプログラムを上記のように構成した場合は、当該患者の主担当看護師が優先して受持ち看護師として割り振られるので、患者および看護師の双方にとって合理的な割振り結果を得ることができる。
【００２６】
また、上記看護師割振り手段は、上記割振記録ファイルの中から過去の所定期間以内に当該患者の受持ち看護師であったことのある看護師を抽出し抽出された看護師が上記看護師リストの中に含まれているか否かを検索し、該検索の結果、当該患者の受持ち看護師が含まれているときには該受持ち看護師の中から業務量の最も少ない看護師を選び出して当該患者の受持ち看護師として割り振るものであり、該検索の結果、当該患者の受持ち看護師が含まれていないときには上記看護師リストの中から業務量の最も少ない看護師を選び出して当該患者の受持ち看護師として割り振るものであってもよい。
【００２７】
本発明の看護師割振りプログラムを上記のように構成した場合は、当該患者の過去の所定期間以内の受持ち看護師が優先して受持ち看護師として割り振られるので、患者および看護師の双方にとっても合理的な割振り結果を得ることができる。
【００２８】
また、上記患者マスタが、患者の所属するチームをも記録するものであるとともに、上記看護師リストが、看護師の所属するチームをも記録するものであり、
上記看護師割振り手段は、当該患者の所属するチームと同じチームに所属する看護師が上記看護師リストの中に含まれているか否かを検索し、該検索の結果、同じチームに所属する看護師が含まれているときには該看護師の中から業務量の最も少ない看護師を選び出して当該患者の受持ち看護師として割り振るものであり、該検索の結果、同じチームに所属する看護師が含まれていないときには上記看護師リストの中から業務量の最も少ない看護師を選び出して当該患者の受持ち看護師として割り振るものであってもよい。
【００２９】
本発明の看護師割振りプログラムを上記のように構成した場合は、当該患者の所属するチームと同じチームに所属する看護師が優先して受持ち看護師として割り振られるので、患者および看護師の双方にとって合理的な割振り結果を得ることができる。
【００３０】
また、上記看護師リストは、看護師のスキルの程度を表すスキルランクをも記録するものであり、
上記看護師割振り手段は、業務量の最も少ない看護師が複数選び出されたときには選び出された複数の看護師のうちでスキルランクの最も高い看護師を当該患者の受持ち看護師として割り振るものであってもよい。
【００３１】
本発明の看護師割振りプログラムを上記のように構成した場合は、スキルランクの高い看護師が優先して受持ち看護師として割り振られるので、患者および看護師の双方にとって合理的な割振り結果を得ることができる。
【発明の効果】
【００３２】
本発明によれば、各看護師の業務量がほぼ均等になるように看護師を割り振ることのできる看護師割振り装置および看護師割振りプログラムを実現することができる。
【発明を実施するための最良の形態】
【００３３】
以下図面を参照して本発明の実施の形態を説明する。
【００３４】
以下、本発明の実施の形態について説明する。本実施形態では、看護師割振り装置を、１台のサーバと３台のクライアントからなるクライアントアンドサーバシステムとして構成した例を示しているが、本発明の看護師割振り装置は、必ずしもクライアントアンドサーバシステムとして構成しなければならないわけではなく、１台のコンピュータからなるスタンドアローンシステムであってもよい。
【００３５】
図１は、本発明の一実施形態としての看護師割振り装置を構成するクライアントと、通信回線によってそのクライアントに接続されたサーバとを含むクライアントアンドサーバシステムの全体構成図である。ここには、サーバとして動作する１台のコンピュータ１００と、コンピュータ１００に通信回線９００を介して接続された、クライアントとして動作する３台のコンピュータ２００，３００，４００とが示されている。
【００３６】
通信回線９００は、本実施形態では、このクライアントアンドサーバシステムが設置された１つの企業体内部のＬＡＮ（Ｌｏｃａｌ  Ａｒｅａ  Ｎｅｔｗｏｒｋ）であるが、インターネットやＷＡＮ（Ｗｉｄｅ  Ａｒｅａ  Ｎｅｔｗｏｒｋ）等であって、複数の企業体に跨る処理を行なうものであってもよい。
【００３７】
サーバとして動作するコンピュータ１００、およびクライアントとして動作する３台のコンピュータ２００，３００，４００には、後述する構成のコンピュータプログラムのうちのそれぞれ必要部分がインストールされており、それらのコンピュータプログラムを実行させることにより、これらのコンピュータ１００，２００，３００，４００は全体として看護師割振り装置として動作する。
【００３８】
クライアントとして動作する３台のコンピュータ２００，３００，４００には一般にワークステーション又はパーソナルコンピュータと呼ばれるコンピュータを用いることができる。この図１に示すシステムでは、そのうちの１台のコンピュータ４００には、いわゆるノート型パーソナルコンピュータが用いられている。
【００３９】
また、コンピュータ１００は、大容量の記録媒体を持ち、その記録媒体内に、この企業体における種々のマスタファイルを含むデータベースが構築され、各コンピュータ２００，３００，４００とともに看護師割振り処理を実行するサーバとして動作するようになっている。
【００４０】
上記の各コンピュータ１００，２００，３００，４００は、ＣＰＵ（中央処理装置）、ＲＡＭ（ランダムアクセスメモリ）、ハードディスク、通信用ボード等が内蔵された本体部１０１，２０１，３０１，４０１、本体部１０１，２０１，３０１，４０１からの指示により表示画面１０２ａ，２０２ａ，３０２ａ，４０２ａ上に画像や文字列を表示するディスプレイ１０２，２０２，３０２，４０２、各コンピュータ２００，３００，４００，
４００にユーザの指示を入力するためのキーボード１０３，２０３，３０３，４０３、表示画面１０２ａ，２０２ａ，３０２ａ，４０２ａ上の任意の位置を指定することにより、その指定時にその位置に表示されていたアイコン等に応じた指示を行うポインティングデバイス（コンピュータ１００，２００，３００の場合はマウス１０４，２０４，３０４、コンピュータ４００の場合はトラックパッド４０４）を備えている。
【００４１】
本体部１０１，２０１，３０１，４０１は、さらに、ＭＯ（光磁気ディスク）、ＣＤ／ＤＶＤが装填されるＭＯ装填口１０１ａ，２０１ａ，３０１ａ，４０１ａ、ＣＤ／ＤＶＤ装填口１０１ｂ，２０１ｂ，３０１ｂ，４０１ｂを有しており、それらの内部には、それらの装填口１０１ａ，２０１ａ，３０１ａ，４０１ａ，１０１ｂ，２０１ｂ，３０１ｂ，４０１ｂから装填されたＭＯやＣＤ又はＤＶＤをドライブするＭＯドライブやＣＤ／ＤＶＤドライブも内蔵されている。
【００４２】
図２は、図１に外観を示したコンピュータのハードウェア構成図である。
【００４３】
ここでは代表としてコンピュータ１００を取り上げて説明するが、コンピュータ２００，３００，４００も基本的に同様の構成を有する。
【００４４】
図２のハードウェア構成図には、ＣＰＵ１１１、ＲＡＭ１１２、ハードディスクコントローラ１１３、ＭＯドライブ１１４、ＣＤ／ＤＶＤドライブ１１５、マウスコントローラ１１６、キーボードコントローラ１１７、ディスプレイコントローラ１１８、および通信用ボード１１９が示されており、それらはバス１１０で相互に接続されている。
【００４５】
ＭＯドライブ１１４、ＣＤ／ＤＶＤドライブ１１５は、図１を参照して説明したように、それぞれＭＯ装填口１０１ａおよびＣＤ／ＤＶＤ装填口１０１ｂから装填されたＭＯ６０１、ＣＤ／ＤＶＤ６０２をアクセスするものである。
【００４６】
通信用ボード１１９は通信回線９００に接続される。
【００４７】
また、図２には、ハードディスクコントローラ１１３によりアクセスされるハードディスク６００、マウスコントローラ１１６により制御されるマウス１０４、キーボードコントローラ１１７により制御されるキーボード１０３、およびディスプレイコントローラ１１８により制御されるディスプレイ１０２も示されている。
【００４８】
次に、本発明の看護師割振り装置および看護師割振りプログラムの実施形態について説明する。
【００４９】
図３は、図１に示すクライアントアンドサーバシステムを利用した本発明の看護師割振り装置および看護師割振りプログラムの概略構成図である。
【００５０】
先ず、本発明の看護師割振り装置について説明する。
【００５１】
図３に示すように、この看護師割振り装置１０は、入院患者の当日の看護を受け持つ看護師を複数の看護師の中から選び出して当該患者の受持ち看護師として割り振る装置であって、当日の入院患者の受持ち看護師として選ばれる対象となる看護師の当日の看護業務量、該看護師の所属するチーム、および該看護師のスキルランクが記録される看護師リスト２０と、患者の、看護の程度を表す看護度、救護の程度を表す救護区分、当日当該患者に施される処置の内容を表すイベント、当該患者の当日の看護に必要な必要業務量、当該患者の所属するチーム、および当該患者の看護を主として担当する主担当看護師が記録される患者マスタ３０と、上記患者マスタ３０に記録されている看護度、救護区分、および
イベントに基づき当該患者の看護に必要な必要業務量を算出して患者マスタ３０の必要業務量を更新する必要業務量更新手段１１と、各患者について、上記患者マスタ３０に記録されている看護師の中から業務量の最も少ない看護師を選び出して当該患者の受持ち看護師として割り振る看護師割振り手段１２と、上記看護師割振り手段１２により上記患者の受持ち看護師として割り振られた看護師の看護業務量に該患者の必要業務量を加算した値で上記看護師リスト２０の看護業務量を更新する看護業務量更新手段１３と、上記看護師割振り手段１２によって割り振られた割振り結果を記録する割振記録ファイル６０と、上記割振記録ファイル６０に記録されている各看護師の受持ち患者および該看護師の看護業務量を読み出して画面上に表示する割振り結果表示手段１４とを備えている。
【００５２】
なお、本実施形態の看護師割振り手段１２を、当該患者の主担当看護師が上記看護師リスト２０の中に含まれているか否かを検索し、当該患者の主担当看護師が上記看護師リスト２０の中に含まれているときには該主担当看護師を当該患者の受持ち看護師として割り振るものとして構成してもよい。
【００５３】
また、本実施形態の看護師割振り手段１２を、上記割振記録ファイル６０の中から過去の所定期間以内、例えば過去１ヶ月以内に当該患者の受持ち看護師であったことのある看護師を抽出し抽出された看護師が上記看護師リスト２０の中に含まれているか否かを検索し、当該患者の受持ち看護師が含まれているときには該受持ち看護師の中から業務量の最も少ない看護師を選び出して当該患者の受持ち看護師として割り振るものとして構成してもよい。
【００５４】
また、本実施形態の看護師割振り手段を、当該患者の所属するチームと同じチームに所属する看護師が上記看護師リスト２０の中に含まれているか否かを検索し、同じチームに所属する看護師が含まれているときには該看護師の中から業務量の最も少ない看護師を選び出して当該患者の受持ち看護師として割り振るものとして構成してもよい。
【００５５】
さらに、本実施形態の看護師割振り装置１０には、上記の他に、患者の入退院に関する情報が記録される入退院情報マスタ４０、患者に施される処置に関する指示情報が記録される指示情報マスタ５０、および上記看護度、救護区分、およびイベントに対応する業務量がそれぞれ記録される業務量マスタＡ７１、業務量マスタＢ７２、業務量マスタＣ７２が備えられている。
【００５６】
次に、本発明の看護師割振りプログラムについて説明する。
【００５７】
この看護師割振りプログラム９０（図３参照）は、例えば、ＣＤ／ＤＶＤ６０２（図２参照）に記録しておき、そのＣＤ／ＤＶＤをコンピュータ１００（図１参照）のＣＤ／ＤＶＤ装填口２０１ｂからコンピュータ１００に読み込ませてハードディスク６００にインストールされる。そして、この看護師割振りプログラム９０を必要に応じて起動させることにより、コンピュータ１００を、入院患者の当日の看護を受け持つ看護師を複数の看護師の中から選び出して当該患者の受持ち看護師として割り振る看護師割振り装置として機能させることができる。
【００５８】
このプログラムは、図３に示すように、コンピュータを、看護師リスト２０と、患者マスタ３０と、必要業務量更新手段１１と、看護師割振り手段１２と、看護業務量更新手段１３と、割振記録ファイル６０とを備えた看護師割振り装置として機能させるプログラムである。
【００５９】
看護師リスト２０は、当日の受持ち看護師として選ばれた看護師名および当日の看護業務量が記録されるものであり、患者マスタ３０は、患者名、看護の程度を表す看護度、救
護の区分を表す救護区分、当日の処置の内容を表すイベント、および当該患者の当日の看護に必要な必要業務量が記録されるものであり、必要業務量更新手段１１は、患者マスタ３０に記録されている看護度、救護区分、およびイベントに基づき当該患者の看護に必要な必要業務量を算出して患者マスタ３０の必要業務量を更新するものであり、看護師割振り手段１２は、各患者について、看護師リスト２０に記録されている看護師の中から業務量の最も少ない看護師を選び出して当該患者の受持ち看護師として割り振るものであり、看護業務量更新手段１３は、看護師割振り手段１２により上記患者の受持ち看護師として割り振られた看護師の看護業務量に該患者の必要業務量を加算した値で看護師リスト２０の看護業務量を更新するものであり、割振記録ファイル６０は、看護師割振り手段１２によって得られた割振り結果に基づき受持ち看護師と患者とを対応付けて記録するものである。
【００６０】
さらに、この看護師割振りプログラム９０では、入退院情報マスタ４０、指示情報マスタ５０、業務量マスタＡ７１、業務量マスタＢ７２、業務量マスタＣ７３などが用いられるが、これら各ファイルの詳細については以下の実施形態において順次説明する。
【００６１】
また、この実施形態には、割振り結果表示手段１４が備えられており、上記看護師割振り手段１２によって得られた割振り結果を画面上に表示するように構成されており、この画面に表示された割振り結果を閲覧することにより、各看護師は自分の受持ち患者についての情報を容易に得ることができるとともに、現場監督者は、画面上に表示された割振り結果に不都合があるか否かを迅速に把握することができる。
【００６２】
図４は、本実施形態で用いられる看護師リストの一例を示す図である。
【００６３】
この看護師リスト２０は、当日の受持ち看護師として勤務が可能な看護師に関する情報が記録されるものであり、図４に示すように、当日の日付２０ａ、当日の勤務区分２０ｂ、看護師名２０ｃ、チーム２０ｄ、スキルランク２０ｅ、および看護業務量２０ｆの４項目が各看護師ごとに記録されるようになっている。
【００６４】
図５は、本実施形態で用いられる患者マスタの一例を示す図である。
【００６５】
この患者マスタ３０は、入院患者に関する情報が記録されるものであり、図５に示すように、病室３０ａ、患者名３０ｂ、診療科３０ｃ、看護度３０ｄ、救護区分３０ｅ、イベント３０ｆ、必要業務量３０ｇ、チーム３０ｈ、主担当看護師名３０ｉの９項目が各患者ごとに記録されるようになっている。
【００６６】
図６は、本実施形態で用いられる入退院情報マスタの一例を示す図である。
【００６７】
図６に示すように、この入退院情報マスタ４０には、日付４０ａ、入／退院の別４０ｂ、患者名４０ｃ、診療科４０ｄ、病室４０ｅ、ベッド４０ｆ、チーム４０ｇ、主担当看護師名４０ｈの８項目が記録される。
【００６８】
図７は、本実施形態で用いられる指示情報マスタの一例を示す図である。
【００６９】
図７に示すように、この指示情報マスタ５０には、日付５０ａ、患者名５０ｂ、指示内容５０ｃが記録される。
【００７０】
図８は、本実施形態で用いられる業務量マスタＡの一例を示す図である。
【００７１】
図８に示すように、この業務量マスタＡ７１には、看護度７１ａ、必要業務量７１ｂの
３項目が記録される。
【００７２】
図９は、本実施形態で用いられる業務量マスタＢの一例を示す図である。
【００７３】
図９に示すように、この業務量マスタＢ７２には、救護区分７２ａ、必要業務量７２ｂが記録される。
【００７４】
図１０は、本実施形態で用いられる業務量マスタＣの一例を示す図である。
【００７５】
図１０に示すように、この業務量マスタＣ７３には、イベント７３ａ、必要業務量７３ｂの２項目が記録される。
【００７６】
図１１は、本実施形態で用いられる割振記録ファイルの一例を示す図である。
【００７７】
図１１に示すように、この割振記録ファイル６０には、日付６０ａ、勤務区分６０ｂ、受持ち看護師名６０ｃ、病室６０ｄ、患者名６０ｅ、チーム６０ｆ、看護度６０ｇ、救護区分６０ｈ、イベント６０ｉ、必要業務量６０ｊの１０項目が記録される。
【００７８】
次に、本実施形態における看護師割振り装置の動作について説明する。
【００７９】
先ず、当日の始業時に、入退院情報マスタ４０（図６参照）に新たに記録された入退院情報および指示情報マスタ５０（図７参照）に新たに記録された指示情報による患者マスタ３０（図５参照）の内容の更新が行われる。次に、必要業務量更新手段１１（図３参照）による、患者マスタ３０に記録されている患者に必要な必要業務量の算出と患者マスタ３０の更新が行われる。
【００８０】
図１２は、本実施形態における必要業務量更新手段の動作を示すフローチャートである。
【００８１】
図１２に示すように、先ず、必要業務量更新手段１１（図３参照）によって、患者マスタ３０（図５参照）に記録されている一人の患者の看護度３０ｄ、救護区分３０ｅ、およびイベント３０ｆの３項目が読み出される（ステップＳ０１）。
【００８２】
次に、業務量マスタＡ７１（図８参照）から、患者の看護度３０ｄの値と同じ値の看護度７１ａに対応する必要業務量７１ｂ（業務量ｘ）が読み出され（ステップＳ０２）、業務量マスタＢ７２（図９参照）から、患者の救護区分３０ｅの値と同じ値の救護区分７２ａに対応する必要業務量７２ｂ（業務量ｙ）が読み出され（ステップＳ０２）、業務量マスタＣ７３（図１０参照）から、患者のイベント３０ｆの値と同じ値のイベント７３ａに対応する必要業務量７３ｂ（業務量ｚ）が読み出される（ステップＳ０３）。
【００８３】
次に、上記の業務量ｘ、業務量ｙ、および業務量ｚの合計値が算出され（ステップＳ０４）、この合計値によって上記患者マスタ３０（図５参照）の該当患者の必要業務量３０ｇが更新される（ステップＳ０５）。
【００８４】
以上の一連の処理が、患者マスタ３０に記録されている全患者について終了するまで繰り返される（ステップＳ０６）。
【００８５】
こうして、患者マスタ３０に記録されている患者の業務量３０ｇが全て更新された後、看護師割振り手段による看護師割振りが行われる。
【００８６】
図１３は、本実施形態における看護師割振り手段の動作を示すフローチャートである。
【００８７】
図１３に示すように、本実施形態の看護師割振り手段１２（図３参照）では、先ず、患者マスタ３０（図５参照）に記録されている一人の患者に関する情報が読み出される（ステップＳ１１）。次に、その患者の主担当看護師名３０ｉが設定されているか否かが判定される（ステップＳ１２）。
【００８８】
ステップＳ１２における判定の結果、主担当看護師名３０ｉが設定されている場合はその看護師をその患者の受持ち看護師として割振り（ステップＳ１３）、看護師リスト２０（図４参照）の、その看護師の看護業務量２０ｆにその患者の業務量３０ｇを加算した値でその看護師の看護業務量２０ｆを更新する（ステップＳ１４）。次にステップＳ１５に進み、全患者の処理が終了したか否かの判定が行われ（ステップＳ１５）、全患者の処理が終了した場合は全ての処理を終了し、全患者の処理が終了していない場合はステップＳ１１に戻りステップＳ１１以降の処理を繰り返す。
【００８９】
ステップＳ１２における判定の結果、主担当看護師名３０ｉが設定されていない場合は、ステップＳ１６に進み、割振記録ファイル６０（図１１参照）を参照して過去１ヶ月以内にその患者を受け持ったことのある看護師（受持ち看護師６０ｆ）が記録されているか否かの判定を行う。
【００９０】
ステップＳ１６における判定の結果、その患者を受け持ったことのある看護師がいるときにはステップＳ１７に進み、その患者を受け持ったことのある看護師は複数いるか否かの判定を行う。
【００９１】
ステップＳ１７における判定の結果、一人だけの場合はステップＳ１３に進みその看護師をその患者の受持ち看護師として割振った後、ステップＳ１４以降の処理が続けられる。
【００９２】
ステップＳ１７における判定の結果、複数の場合はステップＳ１８に進み、複数の受持ち看護師の中から業務量の最も少ない看護師を抽出し、ステップＳ１９に進む。
【００９３】
ステップＳ１９では、抽出された看護師は複数であるか否かの判定が行われ。
【００９４】
ステップＳ１９における判定の結果、一人だけの場合はステップＳ２０に進み抽出された看護師をその患者の受持ち看護師として割振った後、ステップＳ１４以降の処理が続けられる。
【００９５】
ステップＳ１９における判定の結果、複数の場合はステップＳ２１に進み、看護師リスト２０を参照して、抽出された複数の看護師の中からスキルランク２０ｅの最も高い看護師を選び出してその患者の受持ち看護師として割振った後、ステップＳ１４以降の処理が続けられる。
【００９６】
一方、ステップＳ１６における判定の結果、その患者を受け持ったことのある看護師がいないときにはステップＳ２２に進み、その患者と同じチームに属する看護師がいるか否かの判定を行う。
【００９７】
ステップＳ２２における判定の結果、その患者と同じチームに属する看護師がいる場合にはステップＳ２３に進み、その患者と同じチームに属する看護師は複数いるか否かの判定を行う。
【００９８】
ステップＳ２３における判定の結果、一人だけの場合はステップＳ１３に進みその看護師をその患者の受持ち看護師として割振った後、ステップＳ１４以降の処理が続けられる。
【００９９】
ステップＳ２３における判定の結果、複数の場合はステップＳ２４に進み、患者と同じチームに属する複数の看護師の中から業務量の最も少ない看護師を抽出した後、ステップＳ１９以降の処理が続けられる。
【０１００】
ステップＳ２２における判定の結果、その患者と同じチームに属する看護師がいない場合にはステップＳ２５に進み、患者マスタ２０の中から業務量の最も少ない看護師を抽出した後、ステップＳ１９に進みステップＳ１９以降の処理が続けられる。
【０１０１】
次に、本実施形態の看護師割振り装置の実施例について説明する。
【０１０２】
この看護師割振り装置では、毎朝始業時に、看護師リスト２０（図５参照）の各看護師の看護業務量２０ｆが初期化されるとともに、患者マスタ３０（図５参照）の各患者の必要業務量３０ｇが初期化される。
【０１０３】
次に、入退院情報マスタ４０（図６参照）に記録された入退院に関する情報および患者指示情報マスタ５０（図７参照）に記録された医師からの指示に基づき当該患者に当日施される処置の内容、例えば、“手術１日前”、“放射線検査”、“食事介助”などの情報が読み出され、患者マスタ３０のイベント３０ｆに入力されるとともに、それ以外の各項目に各患者の当日の、看護度、救護区分などの情報が入力される。
【０１０４】
次に、必要業務量更新手段１１（図３参照）による患者マスタ３０の必要業務量３０ｇの入力が行われる。すなわち、図１２に示すように、患者マスタ３０（図５参照）に記録されている第１レコード３０＿１（患者氏名：“蒲田  四郎”）の中の看護度３０ｄ：“Ａ１”から、業務量マスタＡ（図８参照）を参照して業務量ｘ：“４”を得、次に、救護区分３０ｅ：“担送”から業務量マスタＢ（図９参照）を参照して業務量ｙ：“３”を得、次に、イベント３０ｆ“”から業務量マスタＣ（図１０参照）を参照して業務量ｚ：“０”を得る。次に上記業務量ｘ、業務量ｙ、および業務量ｚを合計してその患者の看護に必要な必要業務量“７”を算出し、その値をレコード３０＿１の必要業務量３０ｇ欄に入力する。
【０１０５】
次に、第２レコード３０＿２（患者氏名：“矢口  正子”）の中の看護度３０ｄ：“Ｃ１”から、業務量マスタＡ（図８参照）を参照して業務量ｘ：“２”を得、次に、救護区分３０ｅ：“独歩”から業務量マスタＢ（図９参照）を参照して業務量ｙ：“１”を得、次に、イベント３０ｆ“手術”から業務量マスタＣ（図１０参照）を参照して業務量ｚ：“４”を得る。次に上記業務量ｘ、業務量ｙ、および業務量ｚを合計してその患者の看護に必要な必要業務量“７”を算出し、その値をレコード３０＿２の必要業務量３０ｇ欄に入力する。
【０１０６】
以下同様にして第３レコード３０＿３以降の各患者についての必要業務量３０ｇ欄の更新を行う。
【０１０７】
こうして、必要業務量３０ｇ欄の更新が終了した後、次に、看護師割振り手段１２（図３参照）により、患者マスタ３０（図５参照）に記録されている各患者への受持ち看護師の割振りが行われる（図１３参照）。
【０１０８】
先ず、患者マスタ３０（図５参照）の第１レコード３０＿１（患者氏名：“蒲田  四郎
”）の受持ち看護師の割振りが開始されるが、この患者の主担当看護師２０ｆ欄には“ナース１”が記録されているので、その看護師“ナース１”をこの患者の受持ち看護師として割り振り、その割振り結果を割振記録ファイル６０（図１１参照）に記録する。すなわち、割振記録ファイル６０の第１レコードとして、日付６０ａ欄に当日の日付“２００７０１２４”、勤務区分６０ｂ欄に勤務区分“日勤”、受持ち看護師名６０ｃ欄に“ナース１”、病室６０ｄ欄に患者の病室番号“５０１”、患者名６０ｅ欄に患者名“蒲田  四郎”、チーム６０ｆ欄に患者の所属チーム“Ａ”、看護度６０ｇ欄に“Ａ１”、救護区分６０ｈ欄に“担送”、イベント６０ｉ欄に“”、必要業務量６０ｊ欄に“７”が入力される。続いて看護師リスト２０（図４参照）の“ナース１”の看護業務量２０ｆ欄の値（未入力）に上記必要業務量“７”を加算した値“７”が入力される。
【０１０９】
次に、患者マスタ３０（図５参照）の第２レコード３０＿２（患者氏名：“矢口  正子”）の受持ち看護師の割振りが行われる。この患者の主担当看護師２０ｆ欄には“ナース２”が記録されているので、その看護師“ナース２”をこの患者の受持ち看護師として割り振り、その割振り結果を割振記録ファイル６０（図１１参照）に記録する。すなわち、割振記録ファイル６０のの第２レコードとして、日付６０ａ欄に当日の日付“２００７０１２４”、勤務区分６０ｂ欄に勤務区分“日勤”、受持ち看護師名６０ｃ欄に“ナース２”、病室６０ｄ欄に患者の病室番号“５０２”、患者名６０ｅ欄に患者名“矢口  正子”、チーム６０ｆ欄に患者の所属チーム“Ｂ”、看護度６０ｇ欄に“Ｃ１”、救護区分６０ｈ欄に“独歩”、イベント６０ｉ欄に“手術１日前”、必要業務量６０ｊ欄に“７”が入力される。続いて看護師リスト２０（図４参照）の“ナース２”の看護業務量２０ｆ欄の値（未入力）に上記必要業務量“７”を加算した値“７”が入力される。
【０１１０】
次に、患者マスタ３０（図５参照）の第３レコード３０＿３（患者氏名：“富士  太一”）の受持ち看護師の割振りが行われる。この患者の主担当看護師２０ｆ欄は未記録であるので、割振記録ファイル６０（図１１参照）を参照して過去１ヶ月以内にこの患者を受け持ったことのある看護師（受持ち看護師６０ｆ）が記録されているか否かが判定され、割振記録ファイル６０にはこの患者を受け持ったことのある看護師が記録されていないのでこの患者の所属チームと同じチーム“Ｂ”に属する看護師を看護師リスト２０の中から抽出し、抽出された４人の看護師“ナース９”、“ナース５” 、“ナース２”、“ナー
ス６”の中から看護業務量の最も少ない看護師を抽出する。この場合、３人の看護師“ナース９”、“ナース５” 、“ナース６”の看護業務量はゼロであるので、この３人の看
護師の中からスキルランク２０ｅの最も高い看護師“ナース９”を選び出してその患者の受持ち看護師として割り振り、その割振り結果を割振記録ファイル６０（図１１参照）に記録する。すなわち、割振記録ファイル６０のの第３レコードとして、日付６０ａ欄に当日の日付“２００７０１２４”、勤務区分６０ｂ欄に勤務区分“日勤”、受持ち看護師名６０ｃ欄に“ナース９”、病室６０ｄ欄に患者の病室番号“５０３”、患者名６０ｅ欄に患者名“富士  太一”、チーム６０ｆ欄に患者の所属チーム“Ｂ”、看護度６０ｇ欄に“Ｃ２”、救護区分６０ｈ欄に“独歩”、イベント６０ｉ欄に“”、必要業務量６０ｊ欄に“２”が入力される。続いて看護師リスト２０（図４参照）の“ナース９”の看護業務量２０ｆ欄の値（未入力）に上記必要業務量“７”を加算した値“２”が入力される。
【０１１１】
次に、患者マスタ３０（図５参照）の第４レコード３０＿３（患者氏名：“杉山  勝彦”）の受持ち看護師の割振りが行われる。この患者の主担当看護師２０ｆ欄は未記録であるので、割振記録ファイル６０（図１１参照）を参照して過去１ヶ月以内にこの患者を受け持ったことのある看護師（受持ち看護師６０ｆ）が記録されているか否かが判定され、割振記録ファイル６０にはこの患者を受け持ったことのある看護師が記録されていないのでこの患者の所属チームと同じチーム“Ｃ”に属する看護師を看護師リスト２０の中から探す。しかし、同じチーム“Ｃ”に属する看護師は記録されていないので、看護師リスト２０（図４参照）の中から看護業務量の最も少ない看護師を抽出する。この場合、看護業
務量が未だ記録されていない４人の看護師“ナース８”、“ナース５” 、“ナース４”
、“ナース６”の中からスキルランク２０ｅの最も高い看護師“ナース８”を選び出してその患者の受持ち看護師として割り振り、その割振り結果を割振記録ファイル６０（図１１参照）に記録する。すなわち、割振記録ファイル６０のの第４レコードとして、日付６０ａ欄に当日の日付“２００７０１２４”、勤務区分６０ｂ欄に勤務区分“日勤”、受持ち看護師名６０ｃ欄に“ナース８”、病室６０ｄ欄に患者の病室番号“５０５”、患者名６０ｅ欄に患者名“杉山  勝彦”、チーム６０ｆ欄に患者の所属チーム“Ｃ”、看護度６０ｇ欄に“Ｃ２”、救護区分６０ｈ欄に“独歩”、イベント６０ｉ欄に“放射線検査”、必要業務量６０ｊ欄に“３”が入力される。続いて看護師リスト２０（図４参照）の“ナース８”の看護業務量２０ｆ欄の値（未入力）に上記必要業務量“３”を加算した値“３”が入力される。
【０１１２】
以下同様にして第５レコード３０＿５以降の各患者についての看護師割振りが行われた後、割振り結果表示手段１４による上記割振り結果の画面上への表示が行われる。
【０１１３】
図１４は、本実施形態で用いられる割振り結果表示画面を示す図である。
【０１１４】
割振り結果表示手段１４（図３参照）によって割振記録ファイル６０（図１１参照）に記録された割振り結果は、割振り結果表示手段１４により読み出され、図１４に示す割振り結果表示画面８０上に表示される。この割振り結果により、各看護師は当日の受持ち患者名、病室、看護度、救護区分、イベント、およびその患者の必要業務量を知ることができる。なお、この割振り結果表示画面は、日付＞勤務区分＞受持ち看護師という順にソートした上で表示するようにしてあるので、複数の患者を受け持つ看護師は、自らの受持ち患者を容易に把握することができる。
【０１１５】
この割振り結果表示画面８０の下部には、「再割振り」ボタン８１および「終了」ボタン８２が設けられている。この割振り結果表示画面８０に表示された割振り結果を変更する必要のある場合には、看護師リスト２０（図４参照）、患者マスタ３０（図５参照）、入退院情報マスタ４０（図６参照）、指示情報マスタ５０（図７参照）の内容を修正した後、上記「再割振り」ボタン８１を押下すると、前述の必要業務量更新手段１１（図３参照）、看護師割振り手段１２、看護業務量更新手段１３、および割振り結果表示手段１４による再割振り処理が行われるようになっている。
【０１１６】
変更する必要のない場合には「終了」ボタン８２を押下することによりすべての処理を終了する。
【０１１７】
以下に本発明の各種態様について付記する。
【０１１８】
（付記１）
入院患者の当日の看護を受け持つ看護師を複数の看護師の中から選び出して当該患者の受持ち看護師として割り振る看護師割振り装置であって、
当日の受持ち看護師として選ばれた看護師名および当日の看護業務量が記録される看護師リストと、
患者名、看護の程度を表す看護度、救護の区分を表す救護区分、当日の処置の内容を表すイベント、および当該患者の当日の看護に必要な必要業務量が記録される患者マスタと、
前記患者マスタに記録されている看護度、救護区分、およびイベントに基づき患者の看護に必要な必要業務量を算出して該患者マスタの必要業務量を更新する必要業務量更新手段と、
各患者について、前記看護師リストに記録されている看護師の中から業務量の最も少ない看護師を選び出して当該患者の受持ち看護師として割り振る看護師割振り手段と、
前記看護師割振り手段により前記患者の受持ち看護師として割り振られた看護師の看護業務量に該患者の必要業務量を加算した値で前記看護師リストの看護業務量を更新する看護業務量更新手段と、
前記看護師割振り手段によって得られた割振り結果に基づき受持ち看護師と患者とを対応付けて記録する割振記録ファイルとを備えたことを特徴とする看護師割振り装置。
【０１１９】
（付記２）
前記看護師割振り手段によって得られた割振り結果を画面上に表示する割振り結果表示手段を備えたことを特徴とする付記１記載の看護師割振り装置。
【０１２０】
（付記３）
前記患者マスタが、患者の看護を主として担当する主担当看護師名をも記録するものであり、
前記看護師割振り手段は、当該患者の主担当看護師が前記看護師リストの中に含まれているか否かを検索し、該検索の結果、当該患者の主担当看護師が該看護師リストの中に含まれているときには該主担当看護師を当該患者の受持ち看護師として割り振るものであり、該検索の結果、当該患者の主担当看護師が該看護師リストの中に含まれていないときには該看護師リストの中から業務量の最も少ない看護師を選び出して当該患者の受持ち看護師として割り振るものであることを特徴とする付記１記載の看護師割振り装置。
【０１２１】
（付記４）
前記看護師割振り手段は、前記割振記録ファイルの中から過去の所定期間以内に当該患者の受持ち看護師であったことのある看護師を抽出し抽出された看護師が前記看護師リストの中に含まれているか否かを検索し、該検索の結果、当該患者の受持ち看護師が含まれているときには該受持ち看護師の中から業務量の最も少ない看護師を選び出して当該患者の受持ち看護師として割り振るものであり、該検索の結果、当該患者の受持ち看護師が含まれていないときには前記看護師リストの中から業務量の最も少ない看護師を選び出して当該患者の受持ち看護師として割り振るものであることを特徴とする付記１記載の看護師割振り装置。
【０１２２】
（付記５）
前記患者マスタが、患者の所属するチームをも記録するものであるとともに、前記看護師リストが、看護師の所属するチームをも記録するものであり、
前記看護師割振り手段は、当該患者の所属するチームと同じチームに所属する看護師が前記看護師リストの中に含まれているか否かを検索し、該検索の結果、同じチームに所属する看護師が含まれているときには該看護師の中から業務量の最も少ない看護師を選び出して当該患者の受持ち看護師として割り振るものであり、該検索の結果、同じチームに所属する看護師が含まれていないときには前記看護師リストの中から業務量の最も少ない看護師を選び出して当該患者の受持ち看護師として割り振るものであることを特徴とする付記１記載の看護師割振り装置。
【０１２３】
（付記６）
前記看護師リストは、看護師のスキルの程度を表すスキルランクをも記録するものであり、
前記看護師割振り手段は、業務量の最も少ない看護師が複数選び出されたときには選び出された複数の看護師のうちでスキルランクの最も高い看護師を当該患者の受持ち看護師として割り振るものであることを特徴とする付記３乃至５記載の看護師割振り装置。
【０１２４】
（付記７）
コンピュータを、入院患者の当日の看護を受け持つ看護師を複数の看護師の中から選び出して当該患者の受持ち看護師として割り振る看護師割振り装置として機能させるプログラムであって、
当日の受持ち看護師として選ばれた看護師名および当日の看護業務量が記録される看護師リストと、
患者名、看護の程度を表す看護度、救護の区分を表す救護区分、当日の処置の内容を表すイベント、および当該患者の当日の看護に必要な必要業務量が記録される患者マスタと
、
前記患者マスタに記録されている看護度、救護区分、およびイベントに基づき患者の看護に必要な必要業務量を算出して該患者マスタの必要業務量を更新する必要業務量更新手段と、
各患者について、前記看護師リストに記録されている看護師の中から業務量の最も少ない看護師を選び出して当該患者の受持ち看護師として割り振る看護師割振り手段と、
前記看護師割振り手段により前記患者の受持ち看護師として割り振られた看護師の看護業務量に該患者の必要業務量を加算した値で前記看護師リストの看護業務量を更新する看護業務量更新手段と、
前記看護師割振り手段によって得られた割振り結果に基づき受持ち看護師と患者とを対応付けて記録する割振記録ファイルとを備えた看護師割振り装置として機能させることを特徴とする看護師割振りプログラム。
【０１２５】
（付記８）
前記看護師割振り手段によって得られた割振り結果を画面上に表示する割振り結果表示手段を備えたことを特徴とする付記７記載の看護師割振りプログラム。
【０１２６】
（付記９）
前記患者マスタが、患者の看護を主として担当する主担当看護師名をも記録するものであり、
前記看護師割振り手段は、当該患者の主担当看護師が前記看護師リストの中に含まれているか否かを検索し、該検索の結果、当該患者の主担当看護師が該看護師リストの中に含まれているときには該主担当看護師を当該患者の受持ち看護師として割り振るものであり、該検索の結果、当該患者の主担当看護師が該看護師リストの中に含まれていないときには該看護師リストの中から業務量の最も少ない看護師を選び出して当該患者の受持ち看護師として割り振るものであることを特徴とする付記７記載の看護師割振りプログラム。
【０１２７】
（付記１０）
前記看護師割振り手段は、前記割振記録ファイルの中から過去の所定期間以内に当該患者の受持ち看護師であったことのある看護師を抽出し抽出された看護師が前記看護師リストの中に含まれているか否かを検索し、該検索の結果、当該患者の受持ち看護師が含まれているときには該受持ち看護師の中から業務量の最も少ない看護師を選び出して当該患者の受持ち看護師として割り振るものであり、該検索の結果、当該患者の受持ち看護師が含まれていないときには前記看護師リストの中から業務量の最も少ない看護師を選び出して当該患者の受持ち看護師として割り振るものであることを特徴とする付記７記載の看護師割振りプログラム。
【０１２８】
（付記１１）
前記患者マスタが、患者の所属するチームをも記録するものであるとともに、前記看護師リストが、看護師の所属するチームをも記録するものであり、
前記看護師割振り手段は、当該患者の所属するチームと同じチームに所属する看護師が前記看護師リストの中に含まれているか否かを検索し、該検索の結果、同じチームに所属する看護師が含まれているときには該看護師の中から業務量の最も少ない看護師を選び出して当該患者の受持ち看護師として割り振るものであり、該検索の結果、同じチームに所属する看護師が含まれていないときには前記看護師リストの中から業務量の最も少ない看護師を選び出して当該患者の受持ち看護師として割り振るものであることを特徴とする付記７記載の看護師割振りプログラム。
【０１２９】
（付記１２）
前記看護師リストは、看護師のスキルの程度を表すスキルランクをも記録するものであり、
前記看護師割振り手段は、業務量の最も少ない看護師が複数選び出されたときには選び出された複数の看護師のうちでスキルランクの最も高い看護師を当該患者の受持ち看護師として割り振るものであることを特徴とする付記９乃至１１記載の看護師割振りプログラム。
【図面の簡単な説明】
【０１３０】
【図１】本発明の一実施形態としての看護師割振り装置を構成するクライアントと、通信回線によってそのクライアントに接続されたサーバとを含むクライアントアンドサーバシステムの全体構成図である。
【図２】図１に外観を示したコンピュータのハードウェア構成図である。
【図３】図１に示すクライアントアンドサーバシステムを利用した本発明の看護師割振り装置および看護師割振りプログラムの概略構成図である。
【図４】本実施形態で用いられる看護師リストの一例を示す図である。
【図５】本実施形態で用いられる患者マスタの一例を示す図である。
【図６】本実施形態で用いられる入退院情報マスタの一例を示す図である。
【図７】本実施形態で用いられる指示情報マスタの一例を示す図である。
【図８】本実施形態で用いられる業務量マスタＡの一例を示す図である。
【図９】本実施形態で用いられる業務量マスタＢの一例を示す図である。
【図１０】本実施形態で用いられる業務量マスタＣの一例を示す図である。
【図１１】本実施形態で用いられる割振記録ファイルの一例を示す図である。
【図１２】本実施形態における必要業務量更新手段の動作を示すフローチャートである。
【図１３】本実施形態における看護師割振り手段の動作を示すフローチャートである。
【図１４】本実施形態で用いられる割振り結果表示画面を示す図である。
【符号の説明】
【０１３１】
１０    看護師割振り装置
１１    必要業務量更新手段
１２    看護師割振り手段
１３    看護業務量更新手段
１４    割振り結果表示手段
２０    看護師リスト
２０ａ    日付
２０ｂ    勤務区分
２０ｃ    看護師名
２０ｄ    チーム
２０ｅ    スキルランク
２０ｆ    看護業務量
３０    患者マスタ
３０ａ    病室
３０ｂ    患者名
３０ｃ    診療科
３０ｄ    看護度
３０ｅ    救護区分
３０ｆ    イベント
３０ｇ    必要業務量
３０ｈ    チーム
３０ｉ    主担当看護師名
４０    入退院情報マスタ
４０ａ    日付
４０ｂ    入／退院の別
４０ｃ    患者名
４０ｄ    診療科
４０ｅ    病室
４０ｆ    ベッド
４０ｇ    チーム
４０ｈ    主担当看護師名
５０    指示情報マスタ
５０ａ    日付
５０ｂ    患者名
５０ｃ    指示内容
６０    割振記録ファイル
６０ａ    日付
６０ｂ    勤務区分
６０ｃ    受持ち看護師名
６０ｄ    病室
６０ｅ    患者名
６０ｆ    チーム
６０ｇ    看護度
６０ｈ    救護区分
６０ｉ    イベント
６０ｊ    必要業務量
７１    業務量マスタＡ
７１ａ，７２ａ，７３ａ    看護度
７１ｂ，７２ｂ，７３ｂ    必要業務量
７２    業務量マスタＢ
７３    業務量マスタＣ
８０    割振り結果表示画面
８１    「再割振り」ボタン
８２    「終了」ボタン
９０    看護師割振りプログラム
１００，２００，３００，４００    コンピュータ
１０１，２０１，３０１，４０１    本体部
１０２，２０２，３０２，４０２    ディスプレイ
１０２ａ，２０２ａ，３０２ａ，４０２ａ    表示画面
１０３，２０３，３０３，４０３    キーボード
１０４，２０４，３０４    マウス
１０１ａ，２０１ａ，３０１ａ，４０１ａ    ＭＯ装填口
１０１ｂ，２０１ｂ，３０１ｂ，４０１ｂ    ＣＤ／ＤＶＤ装填口
１１０    バス
１１１    ＣＰＵ
１１２    ＲＡＭ
１１３    ハードディスクコントローラ
１１４    ＭＯドライブ
１１５    ＣＤ／ＤＶＤドライブ
１１６    マウスコントローラ
１１７    キーボードコントローラ
１１８    ディスプレイコントローラ
１１９    通信用ボード
４０４    トラックパッド
６００    ハードディスク
６０１    ＭＯ
６０２    ＣＤ／ＤＶＤ
９００    通信回線
【図１】
2008225665.tif 000003
【図２】
2008225665.tif 000004
【図３】
2008225665.tif 000005
【図４】
2008225665.tif 000006
【図５】
2008225665.tif 000007
【図６】
2008225665.tif 000008
【図７】
2008225665.tif 000009
【図８】
2008225665.tif 000010
【図９】
2008225665.tif 000011
【図１０】
2008225665.tif 000012
【図１１】
2008225665.tif 000013
【図１２】
2008225665.tif 000014
【図１３】
2008225665.tif 000015
【図１４】
2008225665.tif 000016